(57)【要約】　　　（修正有）【課題】何かを解決する為や新しい事柄を決める為などに、会議を開く場合に、インターネットを使用して、外部など広い範囲からの多様な人材や団体が参加者を集めることを支援するビジネスモデルを提供する。【解決手段】インターネット上のこのビジネスモデルに様々な形で参加する者（主題の提起者、会議に一般参加者としての希望者、進行役としての希望者、場所の提供希望者、等々）は、通信装置を備えて、またそれらがアクセスするインターネットサーバーを有する。まず主題の提起者が、希望する会議の条件を入力する。次にその他の個人や団体がこのインターネットサーバーにアクセスして、興味が持てる主題提起に対して、参加希望申請や条件の変更希望申請をする。会議の詳細を各参加者が承認することにより決定したあとは、その時点で最適な条件で会議を行うことができるようになるビジネス方法【選択図】　図１
2004054867.tif 000002
【特許請求の範囲】
【請求項１】
インターネット上で、会議の発案から、参加者を集め実施するまで支援する機能を持つプログラムを備えたサーバーでサービスを提供する方法。
【請求項２】
会議の発案者が、希望する会議の内容の各項目について事前の候補の中から選択入力する手段、
会議の参加希望者が、希望する会議の内容の各項目について事前の候補の中から選択入力する手段、
会議の参加希望者に対して、自分自身と発案者の内容が一致するリストを電子メールで送付する手段、
会議の参加希望者が、希望する会議を検索して表示する手段、
会議の参加希望者が、会議の参加希望を入力する手段、
会議の発案者が、参加希望者の承認を入力する手段、
その他、各入力されたデータを項目毎の統計情報を閲覧する手段、
として機能させる為の会議支援プログラム。
【請求項３】
会議の発案者が、希望する会議の内容の各項目について事前の候補の中から選択入力する手段、
会議の参加希望者が、希望する会議の内容の各項目について事前の候補の中から選択入力する手段、
会議の参加希望者に対して、自分自身と発案者の内容が一致するリストを電子メールで送付する手段、
会議の参加希望者が、希望する会議を検索して表示する手段、
会議の参加希望者が、会議の参加の希望を入力する手段、
会議の発案者が、参加希望者の承認を入力する手段、
その他、各入力されたデータを項目毎の統計情報を閲覧する手段、
として機能させる為の会議支援プログラムを記録したコンピュータ読み取り可能な媒体。
【請求項４】
会議の発案者が、希望する会議の内容の各項目について事前の候補の中から選択入力する手段、
会議の参加希望者が、希望する会議の内容の各項目について事前の候補の中から選択入力する手段、
会議の参加希望者に対して、自分自身と発案者の内容が一致するリストを電子メールで送付する手段、
会議の参加希望者が、希望する会議を検索して表示する手段、
会議の参加希望者が、会議の参加の希望を入力する手段、
会議の発案者が、参加希望者の承認を入力する手段、
その他、各入力されたデータを項目毎の統計情報を閲覧する手段、
として機能させる為の会議支援プログラムを備えたサーバーを使用するビジネス方法。
【請求項５】
会議の発案者が、希望する会議の内容のうち目的に関しては箇条書きで、その他の項目に関しては、事前の候補の中から選択入力とその他に自由に入力する手段、
会議の参加希望者が、希望する会議の内容のうち目的に関しては箇条書きで、その他の項目に関しては、事前の候補の中から選択入力とその他に自由に入力する手段、
会議の参加希望者に対して、自分自身と発案者の内容が選択項目で一致し、その他の項目に入力したキーワードが発案者のその他の項目に存在する希望会議のリストを電子メールで送付する手段、
会議の参加希望者が、希望する会議を検索する手段、
会議の参加希望者が、会議の参加の希望を入力する手段、
会議の発案者が、参加希望者の承認を入力する手段、
その他、各入力されたデータを項目毎の統計情報を閲覧する手段、
として機能させる為の会議支援プログラム。
【請求項６】
会議の発案者が、希望する会議の内容のうち目的に関しては箇条書きで、その他の項目に関しては、事前の候補の中から選択入力とその他に自由に入力する手段、
会議の参加希望者が、希望する会議の内容のうち目的に関しては箇条書きで、その他の項目に関しては、事前の候補の中から選択入力とその他に自由に入力する手段、
会議の参加希望者に対して、自分自身と発案者の内容が選択項目で一致し、その他の項目に入力したキーワードが発案者のその他の項目に存在する希望会議のリストを電子メールで送付する手段、
会議の参加希望者が、希望する会議を検索する手段、
会議の参加希望者が、会議の参加の希望を入力する手段、
会議の発案者が、参加希望者の承認を入力する手段、
その他、各入力されたデータを項目毎の統計情報を閲覧する手段、
として機能させる為の会議支援プログラムを記録したコンピュータ読み取り可能な媒体。
【請求項７】
会議の発案者が、希望する会議の内容のうち目的に関しては箇条書きで、その他の項目に関しては、事前の候補の中から選択入力とその他に自由に入力する手段、
会議の参加希望者が、希望する会議の内容のうち目的に関しては箇条書きで、その他の項目に関しては、事前の候補の中から選択入力とその他に自由に入力する手段、
会議の参加希望者に対して、自分自身と発案者の内容が選択項目で一致し、その他の項目に入力したキーワードが発案者のその他の項目に存在する希望会議のリストを電子メールで送付する手段、
会議の参加希望者が、希望する会議を検索する手段、
会議の参加希望者が、会議の参加の希望を入力する手段、
会議の発案者が、参加希望者の承認を入力する手段、
その他、各入力されたデータを項目毎の統計情報を閲覧する手段、
として機能させる為の会議支援プログラムを備えたサーバーを使用するビジネス方法。
【発明の詳細な説明】
【０００１】
【発明が属する技術分野】
本発明は、何かを討議、検討、説明したいなどで会議を開きたいときに、参加者を募るため、また会議の支援を実施する為に、インターネット上にサーバーを配置するビジネス方法に関する。
【０００２】
【従来の技術】
ここ数年、知的資源の重要度が高まっているが、何か主題に対して会議を開こうとすると、通常は会社内での集まりや、協力会社関係内での集まりなど、特定の団体範囲の中で人を募り会議を行うことが常であった。また、インターネットやその他通信網を利用した会議の支援システムは存在したが、あくまでも会議の実施時にサポートする機能であり、会議の参加者を広く集う機能は持ち合わせていなかったのが現状である。この状況では、なかなかある主題の解決に必要な技術を持ち合わせた人がいなかったり、また社内外部に実は主題に対応する経験や知識を持つ者がいたり、同じ様なことを考えていたり、解決策をすでに持っていたりした場合、外部との交流は非常に有益である。
【０００３】
【発明が解決しようとする課題】
そこで、インターネット上で、会議の主題提起から終了までのサイクルをサポートする会議サーバーを立ち上げれば、多様な参加者を広範囲から集めることによりより効果的な会議を行えるし、広い範囲での情報交換、意思疎通が盛んになり有益となる。
【０００４】
【課題を解決する為の手段】
インターネット上のこのビジネスモデルに様々な形で参加する者（主題の提起者、会議に一般参加者としての希望者、進行役としての希望者、場所の提供希望者、等々）は、通信装置を備えて、またそれらがアクセスするインターネットサーバーを有する。まず主題の提起者が、図２に一例を示したような内容で希望する会議の条件（主題、人数、期限、場所、権利の所在や報酬、会議の段取りをする者の募集、会議進行者募集、会議の希望進行方法、希望討論方法など）を入力する。（提起者は提起する前に、各参加希望者の属性情報を元に提起する場合もあり）次にその他の個人や団体がこのインターネットサーバーにアクセスして、最新の主題提起や登録済みの自分の属性に応じた主題提起や検索して抽出された主題提起を見て、興味が持てる主題提起に対して、参加希望申請や条件の変更希望申請をする。インターネットサーバーでは、提起者の設定などによりコンピューターが自動的または半自動的に、提起者の条件、参加希望者の人数や条件により主題提起者、参加希望者、インターネットサーバー管理者など第三者にも状況を伝えたり、アクセスを促したり、会場などを提案したり、確認を求めたりする。場合によっては、インターネットサーバー管理者は、状況に応じて、調査や提案などを様々な形で参加する者に対して行う。また、会議の段取りをするもの自体も主題提起者は募集、承認することができ、承認されたものは以降、主題提起者、参加希望者、インターネットサーバー管理者など第三者を取りまとめていく。会議の詳細が各参加者が承認することにより決定した後は実際に会議を行うが、これは実際にある会場に集合する場合も、また、このシステム上でチャット形式やビデオ会議形式などで行う場合もある。また、その他の遠方会議システムを使用する場合も、それらを同時使用の場合もある。インターネットサーバーからは、事前に登録をした者に属性に応じてメールなどのアクセス手段を通じてアクセスもする。最後にまとめると、インターネットサーバーを通して、各会議参加者（提起者）が条件を確認、変更などをすることにより、その時点で最適な条件で会議を行うことができるようになる
【０００５】
【発明の実施の形態】
本発明は図３の会議参加者決定処理手順を処理するサーバーを図１のように会議提案者や会議参加希望者からアクセスできるようにインターネット上に配置する。
【０００６】
前記サーバー内には、各会議提案者や各参加希望者が予め個人の属性として、住所や氏名また書く情報を一般的に公開するかなどの属性を入力しておく。そこへ図２に一例を示したような内容で、会議提案者が提案内容を入力することにより図３の処理が行われていく。また会場提供者なども条件を検索して、希望人数や場所が自分の会場と一致する場合に会場提案ができるようになる。
【発明の効果】
広範囲から参加者を集う為、各会議と参加者の属性が合致した参加者を集められるので、効率的な会議を実施することができる。また各会議に参加するものも様々な属性に対応して参加できるので、十分貢献できることに喜びも感じるし、参加者自体も情報収集や人脈構築やアイデアの一部の権利の取得や収入を得ることができるので満足が高いと思われる。
【０００７】
【図面の簡単な説明】
【図１】システム構成
【図２】希望会議内容の一例
【図３】会議参加者決定処理手順
【図１】
2004054867.tif 000003
【図２】
2004054867.tif 000004
【図３】
2004054867.tif 000005